(57)【要約】      （修正有）【課題】燃焼方式を採用しなくても、燃焼方式による蒸発効果と同様な効果を有し、安全性が極めて高い。【解決手段】瓶体１０と、上面部に外方に広がる拡大面２１を有し、かつ大気に連通する多数の微細孔２０ｂを有する石膏製蒸発台２０と、下部が瓶体１０内に浸漬される芯線３０とから構成される芳香剤用蒸発器であって、瓶体は上部に瓶体胴部より径を縮径した端部に開口を有する瓶首部１１を有する形状をなし、石膏製蒸発台は底面中央部に凹部２０ａを有し、該凹部には芯線３０の芯線ヘッド３１が埋め込まれると共に、瓶体の瓶首部が嵌合載置されるようになっており、芯線の下部は、瓶首部の開口より瓶体内に挿入されて瓶体内に装填した芳香剤Ｗ液中に浸漬され、芳香剤を毛細管現象によって石膏製蒸発台に埋め込まれた芯線ヘッドを介して石膏製蒸発台に供給し、石膏製蒸発台内部の多数の微細孔を通して大気に放出するようにした。【選択図】図３
0003108960.tif 000002
【実用新案登録請求の範囲】
【請求項１】
瓶体と、上面部に外方に広がる拡大面を有し、かつ大気に連通する多数の微細孔を有する石膏製蒸発台と、下部が前記瓶体内に浸漬される芯線とから構成される芳香剤用蒸発器であって、
前記瓶体は上部に瓶体胴部より径を縮径した端部に開口を有する瓶首部を有する形状をなし、前記石膏製蒸発台は底面中央部に凹部を有し、該凹部には前記芯線の芯線ヘッドが埋め込まれると共に、前記瓶体の瓶首部が嵌合載置されるようになっており、前記芯線の下部は、前記瓶首部の開口より瓶体内に挿入されて瓶体内に装填した芳香剤液中に浸漬され、前記芳香剤を毛細管現象によって前記石膏製蒸発台に埋め込まれた芯線ヘッドを介して前記石膏製蒸発台に供給し、前記石膏製蒸発台内部の多数の微細孔を通して大気に放出するようにしたことを特徴とする芳香剤用蒸発器。
【請求項２】
前記瓶体の瓶首部の外周には雄ねじ部を設け、かつ前記雄ねじ部と螺合する雌ねじ部を内面に刻設した筒状の補強体を前記石膏製蒸発台の前記凹部に嵌合配設し、該補強体に前記芯線の芯線ヘッドを貫通させて前記石膏製蒸発台に埋め込み配設すると共に、前記芯線の垂下部を前記瓶体内に挿入した状態で前記前記瓶体の瓶首部と前記補強体を連結し、前記瓶体内に装填した芳香剤を前記芯線の毛細管現象を利用して前記石膏製蒸発台より大気に放出できるようにしたことを特徴とする請求項１記載の芳香剤用蒸発器
【請求項３】
前記石膏製蒸発台の底部に形成した前記凹部に嵌合配設される前記補強体の上方端には上底部を設け、該上底部には中央部に前記芯線の芯線ヘッドを貫通させる貫通孔を設け、前記石膏製蒸発台の凹部底面と瓶首部の開口を仕切るようにしたことを特徴とする請求項１記載の芳香剤用蒸発器。
【請求項４】
前記石膏製蒸発台の底部に形成した前記凹部の周壁には複数の凹溝を上下方向に沿って設けると共に、前記筒状の補強体の外周面には前記複数の凹溝と対応するリブを設け、前記補強体と前記石膏製蒸発台との結合時の位置決めができるようにしたことを特徴とする請求項１〜３のいずれか１つに記載の芳香剤用蒸発器。
【考案の詳細な説明】
【技術分野】
【０００１】
本考案は芳香剤用蒸発器に係り、特に、電気加熱や燃焼などの加熱方法を使用せずに、毛細管現象により芳香剤を徐々に放出して蒸発させることが出来るようにした芳香剤用蒸発器に関するものである。
【背景技術】
【０００２】
現在市販されている芳香剤用蒸発器の形態としては、燃焼方式，電気加熱方式，或いは自然蒸発方式などがある。
【０００３】
前記燃焼方式は、蒸発効率は良いが、燃焼が伴うため極めて危険であり、芳香剤を充填した瓶体が高熱に耐え切れず破裂したり、又は、使用者が芳香剤を充填した瓶体を誤って倒してしまい火災になるような恐れがある。
【０００４】
また、前記電気加熱方式では、前記燃焼方式とは異なり通電によって芳香剤を加熱蒸発する方式であるため、危険性は少ないが、常に電源を供給しておく必要があるため、電力が無駄に消耗される。また、不使用時に電源を切断しないでおいて容器内部の芳香剤が蒸発しまった場合には、空容器が過熱されてしまい電気的な短絡事故の原因となるなど、極めて危険である。
【０００５】
さらには、自然蒸発方式では、例えば台湾特許第５１０２２４号公報に記載の芳香剤蒸発器用芯線ヘッドの構造」が提案されている。しかしながら、このような自然蒸発方式によれば、芳香剤の蒸発効率が悪く、芳香機能が良くないという問題点がある。
即ち、前記燃焼方式或いは電気加熱方式によれば、芳香剤が加熱されて直ちに反応蒸発して室内空間に芳香を分散するが、自然蒸発方式によれば、毛細管現象によって芳香剤を徐々に大気に放出しているため、芳香剤の発散面積が小さく蒸発効率が悪く、蒸発効率を高めるために芯線を増大すると、容器の外観意匠性を損ないかつ芳香剤の消耗量も増加する不具合がある。
【特許文献１】台湾特許第５１０２２４号公報
【考案の開示】
【考案が解決しようとする課題】
【０００６】
本考案の主な目的は、燃焼方式を採用しなくても、燃焼方式による蒸発効率と同様な芳香剤の放出効果を有し、かつ安全性が極めて高い芳香剤用蒸発器を提供する。
【課題を解決するための手段】
【０００７】
上記目的を達成するために本考案に係る請求項１の芳香剤用蒸発器は、瓶体と、上面部に外方に広がる拡大面を有し、かつ大気に連通する多数の微細孔を有する石膏製蒸発台と、下部が前記瓶体内に浸漬される芯線とから構成される芳香剤用蒸発器であって、前記瓶体は上部に瓶体胴部より径を縮径した端部に開口を有する瓶首部を有する形状をなし、前記石膏製蒸発台は底面中央部に凹部を有し、該凹部には前記芯線の芯線ヘッドが埋め込まれると共に、前記瓶体の瓶首部が嵌合載置されるようになっており、前記芯線の下部は、前記瓶首部の開口より瓶体内に挿入されて瓶体内に装填した芳香剤液中に浸漬され、前記芳香剤を毛細管現象によって前記石膏製蒸発台に埋め込まれた芯線ヘッドを介して前記石膏製蒸発台に供給し、前記石膏製蒸発台内部の多数の微細孔を通して大気に放出するようにしたことを特徴とする。
【０００８】
請求項２の考案は、請求項１記載の芳香剤用蒸発器において、前記瓶体の瓶首部の外周には雄ねじ部を設け、かつ前記雄ねじ部と螺合する雌ねじ部を内面に刻設した筒状の補強体を前記石膏製蒸発台の前記凹部に嵌合配設し、該補強体に前記芯線の芯線ヘッドを貫通させて前記石膏製蒸発台に埋め込み配設すると共に、前記芯線の垂下部を前記瓶体内に挿入した状態で前記前記瓶体の瓶首部と前記補強体を連結し、前記瓶体内に装填した芳香剤を前記芯線の毛細管現象を利用して前記石膏製蒸発台より大気に放出できるようにしたことを特徴とする。
【０００９】
請求項３の考案は、請求項１記載の芳香剤用蒸発器において、前記石膏製蒸発台の底部に形成した前記凹部に嵌合配設される前記補強体の上方端には上底部を設け、該上底部には中央部に前記芯線の芯線ヘッドを貫通させる貫通孔を設け、前記石膏製蒸発台の凹部底面と瓶首部の開口を仕切るようにしたことを特徴とする。
【００１０】
請求項４の考案は、請求項１〜３のいずれか１つに記載の芳香剤用蒸発器において、前記石膏製蒸発台の底部に形成した前記凹部の周壁には複数の凹溝を上下方向に沿って設けると共に、前記筒状の補強体の外周面には前記複数の凹溝と対応するリブを設け、前記補強体と前記石膏製蒸発台との結合時の位置決めができるようにしたことを特徴とする。
【考案の効果】
【００１１】
本考案に係る芳香剤用蒸発器によれば、次のような効果がある。
（イ）燃焼方式或いは電気加熱方式を採用しないので、燃焼破裂や火災などの危険性がなく、安全性が極めて高くて製造コストが安価に提供できる。
（ロ）石膏製蒸発台２０の頂端部は外方に広がる拡大面２１となっているので、芳香剤の蒸発面積が広くなり、蒸発効率が良くなる。
（ハ）石膏製蒸発台２０の上面部の拡大面２１を綺麗な外観に造形することが出来るので、芳香剤用蒸発器全体の意匠性を向上させることができる。
（ニ）補強体４０の構造設計は、筒状の上部底面４２を設けたことにより、芯線３０を石膏製蒸発台２０から仕切り、これにより、前記石膏製蒸発台２０が、芯線３０に摩擦されて崩たり、破損したりすることを防止できる。
【考案を実施するための最良の形態】
【００１２】
以下、添付図面を参照して本考案の好適な実施の形態を詳細に説明する。
【実施例１】
【００１３】
まず、図１乃至図３を参照する。図１は本考案の芳香剤用蒸発器に係る第１実施例を示す分解斜視図であり、図２は図１の石膏製蒸発台の底面側から見た斜視図であり、図３は本考案に係る芳香剤用蒸発器全体の組合せ状態を示す縦断面図である。
【００１４】
本考案に係る芳香剤用蒸発器１００は、外観がほぼつぼ型の瓶体１０と、石膏を固めて成型した石膏製蒸発台２０と、芳香剤を石膏製蒸発台２０に供給する芯線３０と、前記瓶体１０と前記石膏製蒸発台２０との間に介在される補強体４０とからなり、前記瓶体１０の上部には開口１１ａを有する瓶首部１１が設けてあり、且つ前記瓶体首部１１の外周面には雄ねじ１２が刻設されている。
【００１５】
前記瓶体１０の上方には、前記石膏製蒸発台２０の湾曲底面側が対応して配設される。前記石膏製蒸発台２０には、底面部中央に形成した凹部２０ａに埋め込んだ下部開放の筒状の補強体４０が嵌合して結合され、前記補強体４０環状壁部４２の内面に形成した雌ねじ部４０１が前記瓶首部１１の雄ねじ部１２と螺合して互いに連結されるようになっている。なお、前記瓶体１０は、特に限定はしないが、前記瓶体１０内に装填した液状の芳香剤Ｗが外部より見える、透明体或いは半透明体材料のガラス又はプラスチックにより形成されることが望ましい。
【００１６】
また、符号３０は水分吸収機能を有する繊維紐等で形成された芯線であり、該芯線３０の両端には細紐状態にした芯線ヘッド３１が設けられたものである。前記芯線３０はほぼ中央を二つ折に折り曲げして、該芯線３０の両端となる芯線ヘッド３１を揃えて前記補強体４０に挿入し、該補強体４０の上底部４０ｂに形成した貫通孔４０ｃを貫通した芯線ヘッド３１部分を緩く結んで結び目３２を作り、前記貫通孔４０ｃより抜け落ちないようして、この結び目３２を前記石膏製蒸発台２０の凹部上方に埋め込んだものである。
そして、前記芯線３０の二つ折りした折曲げ部分は、前記瓶体１０の瓶首部１１の開口１１ａより瓶体１０内に垂下され、瓶体１０内に装填した芳香剤Ｗ液中に浸漬されるようになっている。
【００１７】
さらに、前記石膏製蒸発台２０の上面部は、外方に広がる拡大面２１を有しており、蒸発効率を良くしている。
また、この実施例による石膏製蒸発台２０は、図１と図３に示すように、例えば、石膏製蒸発台２０を花形状に造形して外観の意匠性を高めることができる。また、石膏製蒸発台２０は、乾燥状態であり、その内部には大気と連通する多数の微細孔２０ｂを有している。
【００１８】
このような構成に従って、前記瓶体１０に装填した芳香剤Ｗが、液中に浸漬された前記芯線３０の折り曲げ下部より毛細管現象によって前記芯線ヘッド３１の先端側へと浸透して行き、前記芯線ヘッド３１より発散される香りを、石膏製蒸発台２０の大気と連通する多数の微細孔２０ｂを介して、大気に放出するようになっている。
【００１９】
前記芳香剤用蒸発器１００を組合せるときには、図３に示すように、芯線３０の芯線ヘッド３１を前記補強体４０の貫通孔４０ｃに貫通させた後で、芯線ヘッド３１部分を緩く結んで結び目３２を作り抜け止めを施し、芯線ヘッド３１と補強体４０とを石膏製蒸発台２０の底端の凹部２０ａに埋め込み、次に前記芯線３０の折り曲げ下部を前記瓶体１０内部に挿入した後、前記補強体４０の内壁に形成した雌ネジ部４０１と瓶首部１１の雄ねじ１２とを螺合させて互いに結合して完成させるものである。
【００２０】
この状態で、瓶体１０の内部の装填した芳香剤Ｗ液中に浸漬された芯線３０の折り曲げ下部から毛細管現象により芳香剤Ｗを吸い上げて、芯線ヘッド３１に到達すると、芳香剤Ｗが石膏製蒸発台２０に浸透吸引されて石膏製蒸発台２０の内部に分散して、大気と連通する多数の微細孔２０ｂを介して大気に放出して蒸発し、芳香剤用蒸発器１００として機能する。
【実施例２】
【００２１】
また、図４と図５を参照する。図４は本考案に係る芳香剤用蒸発器の石膏製蒸発台の底部に配設される補強体の構成を異ならせた第２実施例の分解斜視図であり、図５は図４における石膏製蒸発台の底面図である。
【００２２】
この第２実施例によれば、前記第１実施例と異なるところは、補強体４０の下部開放縁部に僅かに外方に突出する環状フランジ４２ａを設け、かつ外周部に所定の間隔で複数の突出リブ４３を設けて、前記石膏製蒸発台２０の底部中央に設けた凹部２０ａ壁面に、前記複数の突出リブ４３が係合する埋め込み用の凹溝２０ｃを形成した点にあり、その他の構成は前述の第１実施例と同様であるので、同一部分には同一符号を付して、その説明を省略する。
【００２３】
前記構成の第２実施例の芳香剤用蒸発器によれば、瓶首部１１に前記石膏製蒸発台２０を結合するときには、前記補強体４０が前記石膏製蒸発台２０の底部中央に設けた凹部２０ａ壁面に確実に設置できるとともに、前記補強体４０の複数の突出リブ４３が凹溝２０ｃに係合できることで、位置決めが容易にでき、かつ前記補強体４０が前記石膏製蒸発台２０の凹部内で移動することを防止でき、前記石膏製蒸発台２０と前記瓶体１０との結合を確実にすることが出来る。
【実施例３】
【００２４】
また、図６を参照する。図６は本考案の芳香剤用蒸発器に係る第３実施例を示す全体の組合せ状態を示す斜視図である。
本実施例に係る芳香剤用蒸発器は、前述の実施例１と同様な瓶体１０と、石膏製蒸発台２０と、芯線３０とからなるもので、相違する点は、前記瓶体１０の瓶体首部の外周には雄ねじ部が形成されていない点、また、芯線３０の芯線ヘッド３１を保持する補強体が設けられていない点で相違するのみで、他の構成は前述の第１実施例と同様なので、同一部分には同一符号を付してその説明を省略する。
【００２５】
したがって、この第３実施例では、瓶首部１１ａが直接的に前記石膏製蒸発台２０の底面凹部２０ａに挿入結合されるようになっており、前記石膏製蒸発台２０の凹部２０ａ上方に埋め込まれた芯線ヘッド３１より、芳香剤Ｗが石膏製蒸発台２０の内部に分散して、大気と連通する多数の微細孔２０ｂを介して大気に放出して蒸発し、芳香剤用蒸発器１００として機能する。
【図面の簡単な説明】
【００２６】
【図１】本考案の芳香剤用蒸発器の第１実施例を示す分解斜視図である。
【図２】図１の石膏製蒸発台を示す底面の斜視図である。
【図３】図１の芳香剤蒸発器全体の組合せ状態を示す縦断面図である。
【図４】本考案の芳香剤用蒸発器の第２実施例を示す石膏製蒸発台の底面図である。
【図５】図４における石膏製蒸発台と芯線を装着した補強体を示す分解斜視図である。
【図６】本考案の芳香剤用蒸発器の第３実施例を示す縦断面図である。
【符号の説明】
【００２７】
Ｗ        芳香剤                    
１０      瓶体
１１      瓶首部
１１ａ    開口                  
１２      雄ねじ部
２０      石膏製蒸発台
２０ａ    凹部
２０ｂ    微細孔
２０ｃ    凹溝
２１      拡大面                    
３０      芯線                      
３１      芯線ヘッド
４０      補強体
４０ａ    上底部
４０１    雌ねじ部
４１      貫通孔                  
４３      突設リブ
１００    芳香剤用蒸発器
【図１】
0003108960.tif 000003
【図２】
0003108960.tif 000004
【図３】
0003108960.tif 000005
【図４】
0003108960.tif 000006
【図５】
0003108960.tif 000007
【図６】
0003108960.tif 000008